(57)【要約】【課題】精度良く運転者の運転状態を推定することができる運転状態推定装置を提供する。【解決手段】運転情報取得部２で、車両の現在位置における運転情報を取得する。一方、運転状態推定部４で、現在位置が特異地点に該当するか判定し、無線通信部３で、現在位置が特異地点に該当すると判定された場合は第１運転行動パターン１１ａを取得し、現在位置が特異地点に該当しないと判定された場合は第２運転行動パターン１１ｂを取得する。そして、運転状態推定部４で、第１運転行動パターン１１ａ又は第２運転行動パターン１１ｂと、現在位置における運転情報と、を比較して運転者の運転状態を推定する。【選択図】図１
2018185604.tif 000002
【特許請求の範囲】
【請求項１】
移動体の現在位置における運転情報を取得する第１取得手段と、
前記現在位置が特異地点に該当するか判定する判定手段と、
前記現在位置が前記特異地点に該当すると判定された場合は第１運転情報を取得し、前記現在位置が前記特異地点に該当しないと判定された場合は第２運転情報を取得する第２取得手段と、
前記第１運転情報又は前記第２運転情報と、前記現在位置における運転情報と、を比較して運転者の運転状態を推定する推定手段と、
を備えることを特徴とする運転状態推定装置。
【請求項２】
前記推定手段は、前記運転状態として前記運転者の運転操作のタイミングに余裕があるか否かを推定することを特徴とする請求項１に記載の運転状態推定装置。
【請求項３】
前記第１運転情報及び前記第２運転情報は、位置情報を含むことを特徴とする請求項１または２に記載の運転状態推定装置。
【請求項４】
前記推定手段は、前記移動体の現在位置と一致する前記位置情報を有する前記第１運転情報又は前記第２運転情報を比較することを特徴とする請求項３に記載の運転状態推定装置。
【請求項５】
前記第１運転情報及び前記第２運転情報は、道路環境や道路形状に基づいてパターン化されていることを特徴とする請求項１または２に記載の運転状態推定装置。
【請求項６】
前記推定手段は、前記移動体の現在位置と道路環境や道路形状が類似するパターンの前記第１運転情報又は前記第２運転情報を比較することを特徴とする請求項５に記載の運転状態推定装置。
【請求項７】
前記第１運転情報及び前記第２運転情報には、時刻情報が含まれ、
前記推定手段は、現在時刻に対応する前記第１運転情報又は前記第２運転情報と比較して前記運転者の運転状態を推定する、
ことを特徴とする請求項１乃至６のうちいずれか一項に記載の運転状態推定装置。
【請求項８】
前記運転状態を前記運転者に報知する報知手段を備えることを特徴とする請求項１乃至７のうちいずれか一項に記載の運転状態推定装置。
【請求項９】
移動体の運転者の運転状態を推定する運転状態推定装置の運転状態推定方法であって、
前記移動体の現在位置における運転情報を取得する第１取得工程と、
前記現在位置が特異地点に該当するか判定する判定工程と、
前記現在位置が前記特異地点に該当すると判定された場合は第１運転情報を取得し、前記現在位置が前記特異地点に該当しないと判定された場合は第２運転情報を取得する第２取得工程と、
前記第１運転情報又は前記第２運転情報と、前記現在位置における運転情報と、を比較して運転者の運転状態を推定する推定工程と、
を含むことを特徴とする運転状態推定装置。
【請求項１０】
請求項９に記載の運転状態推定方法を、コンピュータにより実行させることを特徴とする運転状態推定プログラム。
【請求項１１】
請求項１０に記載の運転状態推定プログラムを格納したことを特徴とするコンピュータ読み取り可能な記録媒体。
【発明の詳細な説明】
【技術分野】
【０００１】
本発明は、移動体の運転者の運転状態を推定する運転状態推定装置に関する。
【背景技術】
【０００２】
車両等の移動体の事故を低減するために、居眠り運転や漫然運転等の運転者の運転状態を推定し、運転者に対して所定の情報を報知する技術が提案されている。
【０００３】
例えば、特許文献１には、運転特性取得部が、運転者の過去の運転履歴に基づく運転特性情報を取得し、運転状況取得部が、現在の運転状況に関する運転状況情報を取得し、状態レベル推定部が、運転特性情報および運転状況情報に基づいて運転者の状態を推定することが記載されている。
【先行技術文献】
【特許文献】
【０００４】
【特許文献１】特開２０１２−１１８９５１号公報
【発明の概要】
【発明が解決しようとする課題】
【０００５】
特許文献１の方法の場合、過去の運転行動と現在の運転行動を比較することによって運転者の状態を推定する。この場合、普段とは走行することが少ない地点、例えば峠道などを走行すると、過去の運転行動の範囲から外れてしまうため判定ができない。また、過去の運転行動を平均化して比較したとすると、上記峠道などの普段とは走行することが少ない地点は、ハンドルを頻繁に切る、ブレーキを踏む機会が多くなるなど普段とは異なる運転操作をするため平均から大きく外れる場合があり、通常の運転をしているにもかかわらず、運転者の状態を誤認してしまう可能性がある。
【０００６】
そこで、本発明は、例えば、精度良く運転者の運転状態を推定することができる運転状態推定装置を提供することを課題とする。
【課題を解決するための手段】
【０００７】
上記課題を解決するために、請求項１に記載の発明は、移動体の現在位置における運転情報を取得する第１取得手段と、前記現在位置が特異地点に該当するか判定する判定手段と、前記現在位置が前記特異地点に該当すると判定された場合は第１運転情報を取得し、前記現在位置が前記特異地点に該当しないと判定された場合は第２運転情報を取得する第２取得手段と、前記第１運転情報又は前記第２運転情報と、前記現在位置における運転情報と、を比較して運転者の運転状態を推定する推定手段と、を備えることを特徴としている。
【０００８】
請求項９に記載の発明は、移動体の運転者の運転状態を推定する運転状態推定装置の運転状態推定方法であって、前記移動体の現在位置における運転情報を取得する第１取得工程と、前記現在位置が特異地点に該当するか判定する判定工程と、前記現在位置が前記特異地点に該当すると判定された場合は第１運転情報を取得し、前記現在位置が前記特異地点に該当しないと判定された場合は第２運転情報を取得する第２取得工程と、前記第１運転情報又は前記第２運転情報と、前記現在位置における運転情報と、を比較して運転者の運転状態を推定する推定工程と、を含むことを特徴としている。
【０００９】
請求項１０に記載の発明は、請求項９に記載の運転状態推定方法を、コンピュータにより実行させることを特徴としている。
【００１０】
請求項１１に記載の発明は、請求項１０に記載の運転状態推定生成プログラムを格納したことを特徴としている。
【図面の簡単な説明】
【００１１】
【図１】本発明の一実施例にかかる運転状態推定装置のブロック図である。
【図２】図１に示された運転状態推定部における推定方法の具体例である。
【図３】図１に示された運転部の動作のフローチャートである。
【発明を実施するための形態】
【００１２】
以下、本発明の一実施形態にかかる運転状態推定装置を説明する。本発明の一実施形態にかかる運転状態推定装置は、第１取得手段で、移動体の現在位置における運転情報を取得する。一方、判定手段で、現在位置が特異地点に該当するか判定し、第２取得手段で、現在位置が特異地点に該当すると判定された場合は第１運転情報を取得し、現在位置が特異地点に該当しないと判定された場合は第２運転情報を取得する。そして、推定手段で、第１運転情報又は第２運転情報と、現在位置における運転情報と、を比較して運転者の運転状態を推定する。このようにすることにより、例えば急カーブや特殊な細街路、峠道などの道路形状や、見通しの悪い交差する地点など、道路環境が著しく悪い特異地点とそれ以外の地点とを分けて運転状態を推定することができ、通常の運転操作と異なるような地点であっても第１運転情報に基づいて推定することで誤認識を少なくすることができる。したがって、走行する場面を選ばず、精度良く運転状態を推定することができる。
【００１３】
また、推定手段は、運転状態として運転者の運転操作のタイミングに余裕があるか否かを推定してもよい。このようにすることにより、運転者の運転操作のタイミングの遅れ等により、居眠り運転や漫然運転等を推定することができる。
【００１４】
また、第１運転情報及び第２運転情報は、位置情報を含んでいてもよい。このようにすることにより、過去の走行履歴として第１運転情報及び第２運転情報を活用することができる。
【００１５】
また、推定手段は、移動体の現在の走行位置と一致する位置情報を有する第１運転情報又は第２運転情報を比較してもよい。このようにすることにより、過去に当該位置を走行した運転情報と現在の運転情報とを直接比較することができ、より高精度に運転者の運転状態を推定することができる。
【００１６】
また、第１運転情報及び第２運転情報は、道路環境や道路形状に基づいてパターン化されていてもよい。このようにすることにより、過去に走行したことが無い地点についても、当該地点に類似するパターンにより比較することが可能となる。
【００１７】
また、推定手段は、移動体の現在の走行位置と道路環境や道路形状が類似するパターンの第１運転情報又は第２運転情報を比較してもよい。このようにすることにより、過去に走行したことがいない地点についても、現在の運転情報と比較することができ、運転状態を推定することができる。
【００１８】
また、第１運転情報及び第２運転情報には、時刻情報が含まれ、推定手段は、現在時刻に対応する第１運転情報又は第２運転情報と比較して運転者の運転状態を推定してもよい。このようにすることにより、夜間や昼間といった時間帯に応じた運転情報を選択して比較することができる。したがって、より高精度に運転状態を推定することができる。
【００１９】
また、運転状態を運転者に報知する報知手段を備えてもよい。このようにすることにより、例えば居眠り運転や漫然運転等の危険やその兆候を運転者に通知し、休憩等を促すことができる。
【００２０】
また、本発明の一実施形態にかかる運転状態推定方法は、第１取得工程で、移動体の現在位置における運転情報を取得する。一方、判定工程で、現在位置が特異地点に該当するか判定し、第２取得工程で、現在位置が特異地点に該当すると判定された場合は第１運転情報を取得し、現在位置が特異地点に該当しないと判定された場合は第２運転情報を取得する。そして、推定工程で、第１運転情報又は第２運転情報と、現在位置における運転情報と、を比較して運転者の運転状態を推定する。このようにすることにより、例えば急カーブや特殊な細街路、峠道などの道路形状や、見通しの悪い交差する地点など、道路環境が著しく悪い特異地点とそれ以外の地点とを分けて運転状態を推定することができ、通常の運転操作と異なるような地点であっても第１運転情報に基づいて推定することで誤認識を少なくすることができる。したがって、走行する場面を選ばず、精度良く運転状態を推定することができる。
【００２１】
また、上述した運転状態推定方法をコンピュータにより実行させる運転状態推定プログラムとしてもよい。このようにすることにより、コンピュータを用いて、例えば急カーブや特殊な細街路、峠道などの道路形状や、見通しの悪い交差する地点など、道路環境が著しく悪い特異地点とそれ以外の地点とを分けで運転状態を推定することができ、通常の運転操作を異なるような場面であっても誤認識を少なくすることができる。したがって、走行する場面を選ばず、精度良く運転状態を推定することができる。
【００２２】
また、上述した運転状態推定プログラムをコンピュータ読み取り可能な記録媒体に格納してもよい。このようにすることにより、当該プログラムを機器に組み込む以外に単体でも流通させることができ、バージョンアップ等も容易に行える。
【実施例】
【００２３】
本発明の一実施例にかかる運転状態推定装置を図１乃至図３を参照して説明する。運転状態推定装置１は、図１に示したように、運転情報取得部２と、無線通信部３と、運転状態推定部４と、現在位置取得部５と、報知部６と、を備えている。図１に示した運転状態推定装置１は、車両等の移動体に設置されている。
【００２４】
第１取得部としての運転情報取得部２は、例えば走行速度やブレーキやアクセル或いはハンドル等の操作タイミング、ペダルの踏み量、ハンドルの舵角、或いは加減速や横方向の加速度等の情報を車両に設置された各種センサ等からデータを取得するインターフェース（Ｉ／Ｆ）である。取得されたデータは現在位置における運転情報として運転状態推定部４に出力される。
【００２５】
第２取得手段としての無線通信部３は、後述するサーバ１１とインターネット等のネットワークＮを介して無線により通信するための電子回路やアンテナ等を備えている。無線通信部３は、サーバ１１から第１運転行動パターン１１ａ又は第２運転行動パターン１１ｂを受信（取得）して運転状態推定部４に出力する。また、無線通信部３は、運転情報取得部２が取得した現在における運転情報を運転状態推定部４からの制御によりサーバ１１に送信する。
【００２６】
運転状態推定部４は、運転情報取得部２が取得した現在位置における運転情報と、無線通信部３が取得した第１運転行動パターン１１ａ又は第２運転行動パターン１１ｂと、を比較して運転者の運転状態を推定する。運転状態の推定方法の詳細は後述する。また、運転情報取得部２が取得した現在位置における運転情報を走行履歴として無線通信部３にサーバ１１へ送信させる。運転状態推定部４は、例えばＥＣＵ（Electronic Control Unit）等として車両内に設置されてもよいし、ナビゲーション装置等の車載機器に搭載されているＣＰＵ（Central Processing Unit）が機能するようにしてもよい。
【００２７】
現在位置取得部５は、例えばＧＰＳ（Global Positioning System）受信機等により運転状態推定装置１が設置されている車両の現在位置を取得する。
【００２８】
報知手段としての報知部６は、運転状態推定部４の推定結果に基づいて、必要に応じて運転者等に運転状態を報知する。報知部６は、例えば文字やアイコン等の表示により報知する液晶ディスプレイや警告灯等の表示手段や、警告音等の音により報知するスピーカ等により構成される。或いは運転席に埋め込まれた振動子を振動させること等により報知してもよい。
【００２９】
また、報知部６が報知する対象としては運転者に限らない。例えば離れた場所にいる家族や、トラック、バス等の業務用車両であれば管理者等に通信回線等を介して報知するようにしてもよい。
【００３０】
サーバ１１は、第１運転行動パターン１１ａ及び第２運転行動パターン１１ｂが格納されている（記憶されている）。サーバ１１は、運転状態推定装置１からの要求に応じて第１運転行動パターン１１ａ又は第２運転行動パターン１１ｂを送信する。
【００３１】
第１運転行動パターン１１ａは、運転者の特異地点における運転行動パターンである。第２運転行動パターン１１ｂは、運転者の特異地点以外の地点における運転行動パターンである。運転行動パターンとは、例えば、走行速度やブレーキやアクセル或いはハンドル等の操作タイミング、ペダルの踏み量、ハンドルの舵角、或いは加減速や横方向の加速度などの運転操作にかかる行動をパターン化したものである。特異地点とは、例えば、急カーブや特殊な細街路（電柱やガードレールが道にはみ出しすれ違いが困難など）或いは峠道などの道路形状や、見通しの悪い交差する地点などの道路環境が著しく悪い地点をいう。
【００３２】
第１運転行動パターン１１ａ及び第２運転行動パターン１１ｂは、運転者毎に生成され、記憶されている。
【００３３】
サーバ１１には、運転状態推定装置１の運転情報取得手段が取得した運転情報が、現在位置取得部５が取得した現在位置と関連付けて走行履歴として蓄積されている。第１運転行動パターン１１ａは、蓄積した運転情報のうち特異地点にかかる運転情報を、道路環境や道路形状に基づいてパターン化したものである。例えば急カーブ、細街路、峠道、交差点等としてパターン化されている。なお、パターンの作成はサーバ１１で行うに限らず、他の演算サーバ等で行ってもよい。また、現在位置が走行履歴にある場合は、その履歴の運転情報自体を第１運転行動パターン１１ａとしてもよい。この場合、第１運転行動パターン１１ａには位置情報を含むこととなる。当該位置の走行履歴が複数ある場合は例えば平均化してもよい。
【００３４】
第２運転行動パターン１１ｂも第１運転行動パターン１１ａと同様に、蓄積された運転情報のうち特異地点以外の地点にかかる運転情報を、道路環境や道路形状に基づいてパターン化したものである。なお、第２運転行動パターン１１ｂも現在位置が走行履歴にある場合は、その履歴の運転情報自体を第２運転行動パターン１１ｂとしてもよい。この場合、第２運転行動パターン１１ｂには位置情報を含むこととなる。
【００３５】
なお、第１運転行動パターン１１ａ及び第２運転行動パターン１１ｂは、走行履歴の蓄積に伴って適宜更新してもよい。その際には、過去数年分など期間を区切って運転行動パターンの更新に適用してもよい。また、第１運転行動パターン１１ａ及び第２運転行動パターン１１ｂは、サーバ１１ではなく運転状態推定装置１が有していてもよい。
【００３６】
次に、上述した構成の運転状態推定装置１の運転状態推定部４における運転状態の推定方法について説明する。運転状態推定部４では、現在位置取得部５が取得した現在位置が特異地点に該当するか否かを判定する。そして、特異地点に該当すると判定された場合は、第１運転行動パターン１１ａを無線通信部３にサーバ１１から取得させ、当該第１運転行動パターン１１ａと現在の運転情報とを比較し、運転状態として余裕がある状態か否かを判定する。一方、特異地点に該当しないと判定された場合は、第２運転行動パターン１１ｂを無線通信部３にサーバ１１から取得させ、当該第２運転行動パターン１１ｂと現在の運転情報とを比較し、運転状態として余裕がある状態か否かを判定する。即ち、運転状態推定部４は、判定手段としても機能する。
【００３７】
なお、特異地点であるか否かは、例えば予め地図情報等に特異地点を示す情報を付加して、運転状態推定部４が参照することで判定してもよいし、別途特異地点のデータベース等を運転状態推定部４が参照してもよい。また、これらの地図情報やデータベース等は、運転状態推定装置１が有してもよいし、ナビゲーション装置等の他の車載機器が有したり、サーバ１１等の外部の機器からネットワーク等を介して取得するようにしてもよい。
【００３８】
現在位置が走行履歴にある場合は、上述したように、その履歴の運転情報自体を第１運転行動パターン１１ａ又は第２運転行動パターン１１ｂとして、現在位置における運転情報と比較する。現在位置が走行履歴にない場合は、パターン化された第１運転行動パターン１１ａ又は第２運転行動パターン１１ｂと現在位置における運転情報とを比較する。この際、例えば現在位置が峠道であった場合は峠道のパターンと比較する。即ち、現在位置と道路環境や道路形状が類似するパターンの第１運転行動パターン１１ａ（第１運転情報）又は第２運転行動パターン１１ｂ（第２運転情報）を比較する。
【００３９】
図２に余裕の有無の具体例として左折時を示す。左折する際は巡航走行からプリ行動を経てブレーキを踏み、左折して、加速するのが一連のシーケンスとなる。図２の横方向は時間軸であり、余裕あり、余裕なしにおける縦方向はＧ（加速度）の大きさを示す。
【００４０】
まず、余裕がある運転の場合は、（１）曲がる前から例えばアクセルペダルから足を離すとか、エンジンブレーキをかけるなどとして、巡航速度から徐々に速度を落とすといったプリ行動が行われる。そして（２）左折直前のブレーキでは、それまでに十分に速度が落ちているため、比較的緩やかな減速Ｇ（ブレーキ）となる（図２のα１）。そして（３）速度が十分に落ちているため、余裕のあるなめらかなハンドルの切りとなり、（４）速度が十分に落ちているため、旋回中の横方向加速度（αｙ１）も比較的大きくはなく、さらに（５）ハンドルの戻しも余裕のある滑らかなものとなる。
【００４１】
一方、余裕がない運転の場合は、（６）ブレーキのタイミングが左折の直前で行われ、余裕がある場合と比べてｔ１遅れている。従って、ブレーキは急減速となり、減速Ｇが大きくなる（図２のα２）。そして、（７）左折の手前までには、十分に速度を落とせなくなり、ブレーキを踏んだままカーブに差しかかってしまい（図２のｔ２）、旋回中の横方向加速度（αｙ２）も大きい値となる。さらに（８）速度が下がりきっていないため、ハンドルの戻しが急になったり、もしくは、ハンドルを切りすぎて、逆にあわてて戻す行為も見られるなど、不安定な時間帯が存在する（図２のｔ３）。従って、加速がスムーズに行われない。
【００４２】
このように、現在の運転情報として、ブレーキやアクセル或いはハンドル等の操作タイミング、ペダルの踏み量、ハンドルの舵角、或いは加減速や横方向の加速度等の値を、第１運転行動パターン１１ａ又は第２運転行動パターン１１ｂと比較することによって、現在の運転者の運転状態が余裕のある状態か否かを判定することができる。
【００４３】
例えば、図２のｔ１、ｔ２、ｔ３の長さがそれぞれ閾値以上である場合は余裕がないと判定する。この場合、閾値はｔ１、ｔ２、ｔ３にそれぞれ個別に設定してもよい。また、ｔ１、ｔ２、ｔ３の全てが閾値時間以上であるに限らず、いずれか１つ以上が閾値時間以上で余裕なしと判定してもよい。
【００４４】
余裕のある運転状態の判定にあたっては、操作タイミング、ペダルの踏み量、ハンドルの舵角、或いは加減速や横方向の加速度等の運転情報に含まれる値のうち、例えば上述したｔ１、ｔ２、ｔ３のように操作タイミングのみ等全ての項目を比較しなくてもよい。
【００４５】
この判定結果は、その都度余裕の有無を報知部６から報知するに限らず、複数回余裕がないと判定された場合に報知してもよい。これは、例えば図２の余裕がない運転に該当したとしても、それが必ずしも運転者が要因とは限らず、他の要因による可能性もあるためである。そこで報知する場合として、連続して複数回余裕なしとなった場合でもよいし、所定時間内や所定距離内における頻度が所定の閾値以上であった場合でもよい。
【００４６】
次に、上述した運転状態推定部４の動作（運転状態推定方法）のフローチャートを図３に示す。まず、運転情報取得部２に現在の運転情報を取得させ（ステップＳ１）、運転情報を取得した現在位置が特異地点に該当するか否かを現在位置取得部５が取得した現在位置情報に基づいて判定する（ステップＳ２）。
【００４７】
次に、ステップＳ２で特異地点に該当すると判定された場合（ＹＥＳの場合）は、第１運転行動パターン１１ａをサーバ１１から無線通信部３に取得させ（ステップＳ３）、一方、ステップＳ２で特異地点に該当しないと判定された場合（ＮＯの場合）は、第２運転行動パターン１１ｂをサーバ１１から無線通信部３に取得させる（ステップＳ４）。
【００４８】
次に、ステップＳ１で取得した現在の運転情報とステップＳ３で取得した第１運転行動パターン１１ａ又はステップＳ４で取得した第２運転行動パターン１１ｂとを比較して、余裕がない運転か否かを判定する（ステップＳ５）。
【００４９】
次に、所定回余裕がない運転と判定された場合（ステップＳ６：ＹＥＳ）は、報知部６から運転者に報知をさせる（ステップＳ７）。所定回のカウントは運転状態推定部４内部にカウンタ等を設けてカウントすればよい。一方、所定回余裕がない運転と判定されない場合（ステップＳ６：ＮＯ）は、ステップＳ１に戻る。所定回は上述したように１回ではなく、連続した複数回若しくは所定期間や所定距離内の頻度等であってもよい。
【００５０】
次に、ステップＳ７で報知をさせた後運転終了か否かを判定して運転終了の場合（ステップＳ８：ＹＥＳ）はフローチャートを終了し、運転終了でない場合（ステップＳ８：ＮＯ）はステップＳ１に戻る。運転終了か否かは例えばイグニッションスイッチのＯＦＦ等で判定すればよい。
【００５１】
即ち、ステップＳ１が第１取得手段、ステップＳ２が判定手段、ステップＳ３、Ｓ４が第２取得手段、ステップＳ５が推定手段として機能している。
【００５２】
本実施例によれば、運転情報取得部２で、車両の現在位置における運転情報を取得する。一方、運転状態推定部４で、現在位置が特異地点に該当するか判定し、無線通信部３で、現在位置が特異地点に該当すると判定された場合は第１運転行動パターン１１ａを取得し、現在位置が特異地点に該当しないと判定された場合は第２運転行動パターン１１ｂを取得する。そして、運転状態推定部４で、第１運転行動パターン１１ａ又は第２運転行動パターン１１ｂと、現在位置における運転情報と、を比較して運転者の運転状態を推定する。このようにすることにより、例えば急カーブや特殊な細街路、峠道などの道路形状や、見通しの悪い交差する地点など、道路環境が著しく悪い特異地点とそれ以外の地点とを分けて運転状態を推定することができ、通常の運転操作を異なるような場面であっても第１運転行動パターン１１ａに基づいて推定することで誤認識を少なくすることができる。したがって、走行する場面を選ばず、精度良く運転状態を推定することができる。
【００５３】
また、運転状態推定部４は、運転状態として運転者の運転操作のタイミングに余裕があるか否かを推定している。このようにすることにより、運転者の運転操作のタイミングの遅れ等により、居眠り運転や漫然運転等を推定することができる。
【００５４】
また、第１運転行動パターン１１ａ及び第２運転行動パターン１１ｂは、位置情報を含んでいる。このようにすることにより、過去の走行履歴として第１運転行動パターン１１ａ及び第２運転行動パターン１１ｂを活用することができる。
【００５５】
また、運転状態推定部４は、移動体の現在の走行位置と一致する位置情報を有する第１運転行動パターン１１ａ又は第２運転行動パターン１１ｂを比較してもよい。このようにすることにより、過去に当該位置を走行した運転情報にかかる運転行動パターンと現在の運転情報とを直接比較することができ、より高精度に運転状態を推定することができる。
【００５６】
また、第１運転行動パターン１１ａ及び第２運転行動パターン１１ｂは、道路環境や道路形状に基づいてパターン化されていてもよい。このようにすることにより、過去に走行したことが無い地点についても、当該地点に類似するパターンにより比較することが可能となる。
【００５７】
また、運転状態を運転者に報知する報知部６を備えている。このようにすることにより、例えば居眠り運転や漫然運転等の危険やその兆候を運転者に通知し、休憩等を促すことができる。
【００５８】
なお、蓄積する運転情報に時刻情報を含み、第１運転行動パターン１１ａ及び第２運転行動パターン１１ｂが、時刻に基づいて例えば朝、昼、夜等の複数種類が作成されていてもよい。即ち、第１運転行動パターン１１ａ及び第２運転行動パターン１１ｂには、時刻情報が含まれ、運転状態推定部４は、現在時刻に対応する第１運転行動パターン１１ａ及び第２運転行動パターン１１ｂを比較して運転者の運転状態を推定してもよい。このようにすることにより、夜間や昼間といった時間帯に応じた運転情報を選択して比較することができる。したがって、より高精度に運転状態を推定することができる。
【００５９】
また、上述した実施例は、運転状態が余裕がないと判定した場合は報知するのみであったが、例えば、走行履歴がある場合は、運転状態が余裕がないと判定した以降、その履歴に基づいて、例えば、走行速度やブレーキタイミング等を音声や表示等でガイダンスをしてもよい。
【００６０】
また、上述した実施例は、運転行動パターンはサーバから取得することとしたが、運転状態推定装置や、ナビゲーション装置が備える記憶部に運転行動パターンを記憶しておき、その記憶部から取得するようにしても良い。
【００６１】
また、本発明は上記実施例に限定されるものではない。即ち、当業者は、従来公知の知見に従い、本発明の骨子を逸脱しない範囲で種々変形して実施することができる。かかる変形によってもなお本発明の運転状態推定装置の構成を具備する限り、勿論、本発明の範疇に含まれるものである。
【符号の説明】
【００６２】
１        運転支援情報生成装置
２        運転情報取得部（第１取得手段）
３        無線通信部（第２取得手段）
４        運転状態推定部（判定手段、推定手段）
５        報知部（報知手段）
１１ａ    第１運転行動パターン（第１運転情報）
１１ｂ    第２運転行動パターン（第２運転情報）
Ｓ１      現在の運転情報取得（第１取得工程）
Ｓ２      特異地点か判定（判定工程）
Ｓ３      第１運転行動パターン取得（第２取得工程）
Ｓ４      第２運転行動パターン取得（第２取得工程）
Ｓ５      比較・判定（推定工程）
【図１】
2018185604.tif 000003
【図２】
2018185604.tif 000004
【図３】
2018185604.tif 000005